(57)【要約】【課題】遮光性の高いルーバ付ダクト、およびプロジェクタを提供する。【解決手段】光源装置と、この光源装置を収納し、内外を連通する開口部が形成された筐体とを備えた光学機器に用いられ、筒状体の両端の開口端面のうち、一方の端面が光源装置近傍に配置され、他方の端面が開口部に接続されるダクト９９と、このダクト９９内部に設けられ、該ダクト９９を流れる空気を案内する複数の羽根部材９１１，９１２を有するルーバ９１とを備えたルーバ付ダクト９０は、複数の羽根部材９１１，９１２の少なくともいずれかには、ダクトの送風方向Ｄに対して互いに異なる方向に傾斜した空気案内面９１１Ａ，９１１Ｂ，９１２Ａ，９１２Ｂ，９１２Ｃを交差させた屈曲部９１１Ｃ，９１２Ｄ，９１２Ｅが形成されている。【選択図】図８
2005025035.tif 000002
【特許請求の範囲】
【請求項１】
光源装置と、この光源装置を収納し、内外を連通する開口部が形成された筐体とを備えた光学機器に用いられ、筒状体の両端の開口端面のうち、一方の端面が前記光源装置に向けて配置され、他方の端面が前記開口部に接続されるダクトと、このダクト内部に設けられ、該ダクトを流れる空気を案内する複数の羽根部材を有するルーバとを備えたルーバ付ダクトであって、
前記複数の羽根部材の少なくともいずれかには、前記ダクトの送風方向に対して互いに異なる方向に傾斜した空気案内面を交差させた屈曲部が形成されていることを特徴とするルーバ付ダクト。
【請求項２】
請求項１に記載のルーバ付ダクトにおいて、
前記屈曲部が形成された羽根部材は、前記ダクトの送風方向に沿って２つの屈曲部が形成された断面略Ｓ字状に構成されることを特徴とするルーバ付ダクト。
【請求項３】
請求項２に記載のルーバ付ダクトにおいて、
前記光学機器の筐体収納時、前記２つの屈曲部のうち、光源装置側に配置される屈曲部は、他方の屈曲部の屈曲よりも大きく屈曲していることを特徴とするルーバ付ダクト。
【請求項４】
請求項１に記載のルーバ付ダクトにおいて、
前記羽根部材は、屈曲部が１つ形成された第１羽根部材と、前記ダクトの送風方向に沿って２つの屈曲部が形成された断面略Ｓ字状の第２羽根部材とを備え、
前記ルーバは、前記第１羽根部材および第２羽根部材を組み合わせて構成されることを特徴とするルーバ付ダクト。
【請求項５】
請求項４に記載のルーバ付ダクトにおいて、
前記ルーバは、前記第１羽根部材および第２羽根部材を交互に配列して構成されることを特徴とするルーバ付ダクト。
【請求項６】
請求項４または請求項５に記載のルーバ付ダクトにおいて、
前記光学機器の筐体収納時、前記第２羽根部材の２つの屈曲部のうち前記光源装置側に配置される屈曲部に倣うように、前記第１羽根部材の屈曲部が形成されていることを特徴とするルーバ付ダクト。
【請求項７】
請求項１ないし請求項６のいずれかに記載のルーバ付ダクトにおいて、
前記ダクトには、前記ルーバが設けられる位置よりも光源側に内面が外側に膨出する膨出部が形成されていることを特徴とするルーバ付ダクト。
【請求項８】
光源から射出された光束を画像情報に応じて変調して光学像を形成し、拡大投写するプロジェクタにおいて、
請求項１ないし請求項７のいずれかに記載のルーバ付ダクトを備えることを特徴とするプロジェクタ。
【発明の詳細な説明】
【０００１】
【発明の属する技術分野】
本発明は、光源装置と、この光源装置を収納し、内外を連通する開口部が形成された筐体とを備えた光学機器に用いられ、筒状体の両端の開口端面のうち、一方の端面が前記光源装置に向けて配置され、他方の端面が前記開口部に接続されるダクトと、このダクト内部に設けられ、該ダクトを流れる空気を案内する複数の羽根部材を有するルーバとを備えたルーバ付ダクト、および、このルーバ付ダクトを備えるプロジェクタに関する。
【０００２】
【背景技術】
従来より、光源から射出された光束を画像情報に応じて光変調装置で変調して光学像を形成し、この光学像を拡大投写するプロジェクタが知られている。
このようなプロジェクタでは、投写画像をより鮮明なものとするために光源の高輝度化が進んでいる。これに伴って高温度化する光源を冷却するため、プロジェクタ外部の空気をファンによって吸入し、この空気を流通させて光源や光学部品等を冷却するとともに、光源装置に近接配置される軸流ファンによりプロジェクタ内部の高温空気を吸入し、ダクトを通じて外部へ排気する冷却構造が採用されている。
ここで、ダクトの排出口には、プロジェクタ内部から吸入された高温空気をプロジェクタの投写画像と離間する斜め前方に放出するために、ダクトの送風方向に対して傾斜配置される複数の羽根部材を有するルーバが設けられている（例えば、特許文献１参照）。
このようなルーバ付ダクトによれば、ダクトを介して排出される空気を所望の方向に案内することができるばかりでなく、ルーバの角度を調整することにより、光源装置からの光がプロジェクタの外部に漏れることを防止できるという利点がある。
【０００３】
【特許文献１】
特開２００２−３６５７２８号公報（［００４７］［００４８］図１０参照）
【０００４】
【発明が解決しようとする課題】
しかしながら、前記公報に記載の技術では、ルーバの羽根部材はダクトの送風方向に対して傾斜して配置されているに過ぎないため、羽根部材の傾斜角度によっては、光源装置からの光束が漏れることがあり、確実に漏れ光を防止できる構造とは言い難い。
特に、ホームシアター用途のように、暗所でプロジェクタを使用することを前提とした場合、漏れ光が観察者に不快感を与えることがあるため、より確実に漏れ光を防止できる構造が要望されている。
【０００５】
本発明の目的は、光学機器の筐体収納時、筐体外部への光漏れをルーバによってより確実に防止できるルーバ付ダクト、およびこのルーバ付ダクトを備えるプロジェクタを提供することにある。
【０００６】
【課題を解決するための手段】
本発明のルーバ付ダクトは、光源装置と、この光源装置を収納し、内外を連通する開口部が形成された筐体とを備えた光学機器に用いられ、筒状体の両端の開口端面のうち、一方の端面が前記光源装置に向けて配置され、他方の端面が前記開口部に接続されるダクトと、このダクト内部に設けられ、該ダクトを流れる空気を案内する複数の羽根部材を有するルーバとを備えたルーバ付ダクトであって、前記複数の羽根部材の少なくともいずれかには、前記ダクトの送風方向に対して互いに異なる方向に傾斜した空気案内面を交差させた屈曲部が形成されていることを特徴とする。
【０００７】
ここで、このダクトは、筐体外部への排気用でも、筐体内部への吸気用でも、その用途を問わない。また、ダクトの径は、光源装置に近接してファンが設けられている場合は、そのファンの全幅に対応していることが好ましく、整流上、各羽根部材を略同形状とし、等間隔かつ並列的に配列してルーバが構成されていることが好ましい。
さらに、光束をルーバで隙間なく遮蔽し、かつ、十分な流量を確保するために、ダクトの送風方向から見た際の羽根部材の幅寸法と、隣接する羽根部材間のピッチとが略一致するように、羽根部材の屈曲の大きさおよび羽根部材間のピッチを設定してもよい。
なお、羽根部材の配列方向は、プロジェクタの設置面に対し垂直、平行、斜行等、その向きを問わない。
【０００８】
この発明によれば、羽根部材に屈曲部が形成されることにより、この屈曲部から延びる２つの空気案内面が従来の直線的な空気案内面に比較して、遮光可能な面積が増加し、かつ、これらが交差することで、光源から射出した光束及び光源装置側で反射した光束を遮蔽することができるため、漏れ光の発生を確実に防止することができる。
また、ダクト内を流れる空気は、この屈曲部で曲折されながら流れるため、送風効率が損なわれることもない。
【０００９】
本発明では、前記屈曲部が形成された羽根部材は、前記ダクトの送風方向に沿って２つの屈曲部が形成された断面略Ｓ字状に構成されることが好ましい。
ここで、羽根部材の屈曲形状を反転させて断面逆Ｓ字状とすることも考えられる。
この発明によれば、羽根部材の断面を略Ｓ字状とすることにより、２つの屈曲部からそれぞれ延びる３つの空気案内面により遮光することができるため、漏れ光の発生を一層確実に防止することができる。
また、２つの屈曲部を備えることにより、各屈曲部の屈曲の度合いを小さくすることができるため、各屈曲部で曲折される空気の流量損失を抑えて速やかに空気を流すことができる。
【００１０】
本発明では、前記光学機器の筐体収納時、２つの屈曲部のうち、光源装置側に配置される屈曲部は、他方の屈曲部の屈曲よりも大きく屈曲しているのが好ましい。
この発明によれば、光源装置側の屈曲部の屈曲度合いを大きくすることにより、光源装置側の空気案内面の長さ寸法を大きく確保できるため、一層確実に漏れ光の発生を防止することができる。一方、開口部側の屈曲部の屈曲度合いを小さくすることにより、空気案内面の長さ寸法を小さくすることができるため、排気効率が損なわれることを防止することができる。
【００１１】
本発明では、前記羽根部材は、屈曲部が１つ形成された第１羽根部材と、前記ダクトの送風方向に沿って２つの屈曲部が形成された断面略Ｓ字状の第２羽根部材とを備え、前記ルーバは、前記第１羽根部材および第２羽根部材を組み合わせて構成されることが好ましい。
ここで、組み合わせの態様としては、第１羽根部材と第２羽根部材とを、２つおき、３つおき等に繰り返したり、もしくは変則的に繰り返したりして配列することが考えられるが、１つおきに交互に配列することが好ましい。また、第１羽根部材の屈曲部が、第２羽根部材の２つの屈曲部のうち一方の屈曲部に倣うように形成され、第１羽根部材と第２羽根部材とが並列的に配列されてルーバが構成されていることが好ましい。
【００１２】
これらの発明によれば、このような第１羽根部材および第２羽根部材を組み合わせてルーバを構成することにより、ルーバ内の空気の流れを必要に応じてコントロールすることができるため、ルーバ付ダクトの送風効率を向上させることができる。
また、第１羽根部材と第２羽根部材とを交互に配列することにより、羽根部材の密度が疎となる部分が生じるので送風性に優れ、気流の抵抗が低減されるから、静粛性に優れる。
【００１３】
本発明では、前記光学機器の筐体収納時、前記第１羽根部材には、前記第２羽根部材の２つの屈曲部のうち、前記光源装置側に配置される屈曲部に倣うように屈曲部が形成されていることが好ましい。
この発明によれば、屈曲部の整列により、第１羽根部材および第２羽根部材の空気案内面が平行に配列されることとなるため、ルーバ内の空気の流れを均一化することができ、送風効率が損なわれることがない。
【００１４】
本発明では、前記ダクトには、前記ルーバが設けられる位置よりも光源側に内面が外側に膨出する膨出部が形成されていることが好ましい。
ここで、膨出部は、ルーバが設けられる位置よりも、光源装置側手前から形成されているのが好ましく、ルーバを構成する羽根部材の配列方向両側に膨出するように形成されているのが好ましい。また、必要に応じて、膨出部内面には、空気案内面と略平行となるように、遮光板を設けることが好ましい。
この発明によれば、膨出部をルーバの光源装置側手前から形成することにより、ルーバに流れ込む空気の風速を低下することができるため、風切り音の発生を防止して騒音低減を図ることができるうえ、送風効率を落とすことがない。
また、膨出部を形成することにより、この膨出部で高温の空気と低温の空気を混合させることができるため、開口部から排出される空気の温度を均一化させることができる。
【００１５】
本発明のプロジェクタは、光源装置から射出された光束を画像情報に応じて変調して光学像を形成し、拡大投写するプロジェクタであって、請求項１〜請求項６のいずれかに記載のルーバ付ダクトを備えることを特徴とする。
この発明によれば、前述のようなルーバ付ダクトを備えることで、その遮光性の高さから画像鑑賞に支障がなく、投写画像の画質も向上できるプロジェクタとなる。
【００１６】
【発明の実施の形態】
以下、本発明の第１実施形態を図面に基づいて説明する。
［外観構成］
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。
プロジェクタ１は、光源から射出された光束を画像情報に応じて変調し、スクリーン等の投写面上に拡大投写する。このプロジェクタ１は、図１ないし図３に示すように、略直方体状の筐体としての外装ケース２、およびこの外装ケース２から露出する投写レンズ３を備えている。
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａ（図１）を備え、投写像のフォーカス調整、および倍率調整可能に構成されている。
【００１７】
外装ケース２は、合成樹脂製の筐体であり、プロジェクタ１の本体部分を収納する。この外装ケース２は、図１ないし図３に示すように、プロジェクタ１の上部分を覆うアッパーケース１１と、プロジェクタ１の下部分を覆うロアーケース１２と、プロジェクタ１の背面部分を覆うリアケース１３（図３）とを備えている。これらアッパーケース１１、ロアーケース１２およびリアケース１３は、ねじ等により固定され、適宜着脱可能に構成されている。
アッパーケース１１は、図１ないし図３に示すように、プロジェクタ１の上面、前面、および側面をそれぞれ構成する上面部１１Ａ、前面部１１Ｂ、および側面部１１Ｃ（図１），１１Ｄ（図２、図３）を含んで構成される。
【００１８】
この前面部１１Ｂにおいて、前方から見て左側部分には、図１に示すように、排気口１７が形成され、内部に配置される冷却ファンから排気される空気が該排気口１７を介して排出される。また、この排気口１７には、左右方向に延び、それぞれ平行に配列する複数の羽根部材１７Ａ１を有するルーバ１７Ａが取り付けられている。このルーバ１７Ａは、排出される空気を整流するとともにプロジェクタ１内外間の遮光機能も備えている。
さらに、この前面部１１Ｂにおいて、前方から見て右側部分には、図１に示すように、前述した切り欠き１６と連続し、略円形状の切り欠き１８が形成されている。そして、この切り欠き１８は、投写レンズ３の先端部分を露出させている。
【００１９】
ロアーケース１２は、図１ないし図３に示すように、プロジェクタ１の底面、側面、および背面の一部をそれぞれ構成する底面部１２Ａ（図２）、側面部１２Ｂ（図１），１２Ｃ（図２、図３）、および背面部１２Ｄ（図３）を含んで構成される。
【００２０】
この底面部１２Ａにおいて、下方から見て左側略中央部分には、矩形状の開口２１が形成されている。この開口２１には、該開口２１を覆うランプカバー２２が着脱自在に設けられている。
また、この底面部１２Ａにおいて、下方から見て右側で後方側の隅部は、内側に凹む段付き形状を有している。そして、この隅部には、外部から冷却空気を吸入するための吸気口２３が形成されている。この吸気口２３には、該吸気口２３を覆う吸気口カバー２３Ａが着脱自在に設けられている。この吸気口カバー２３Ａには、複数の開口２３Ｂが形成されている。そして、これら開口２３Ｂ内側には、図示しないエアフィルタが設けられており、内部への塵埃の侵入を防止している。
【００２１】
［内部構成］
図４は、プロジェクタ１のアッパーケース１１および内部の制御基板等を外した状態の、プロジェクタ１の内部構造を示す図である。
外装ケース２の内部には、プロジェクタ１の本体部分が収納されており、この本体部分は、投写方向略中央部分で左右方向に延び、一方の端部が前方に延びる平面視略Ｌ字状の光学ユニット４と、この光学ユニット４の上方で投写レンズ３側に配置される制御基板（図示省略）と、背面部分および一方の側面部分に沿って平面視略Ｌ字状に配置される電源ユニット６と、吸気口２３および排気口１７に応じた位置、および電源ユニット６の角隅部分に配置される３つの冷却ファンを含む冷却ユニット７とを備えて構成される。
【００２２】
（光学ユニット４の構造）
図５は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図４または図５に示すように、インテグレータ照明光学系４１と、色分離光学系４２と、リレー光学系４３と、光変調装置および色合成光学装置を一体化した光学装置４４と、これら光学部品４１，４２，４３，４４を収納配置するライトガイド４５（図４）とに機能的に大別される。
インテグレータ照明光学系４１は、光源から射出された光束を照明光軸直交面内における照度を均一にするための光学系である。このインテグレータ照明光学系４１は、図５に示すように、光源装置４１１、第１レンズアレイ４１２、第２レンズアレイ４１３、偏光変換素子４１４、および重畳レンズ４１５を備えて構成される。
【００２３】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００２４】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２５】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、光学装置４４における光の利用効率を高めている。なお、このような偏光変換素子４１４は、例えば、特開平８−３０４７３９号公報に紹介されている。
【００２６】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００２７】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００２８】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００２９】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００３０】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００３１】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３２】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００３３】
ライトガイド４５は、図４に示すように、射出成形等による合成樹脂製品であり、上述した光学部品４１，４２，４３，４４が収納される下ライトガイド４５１と、この下ライトガイド４５１の上面の開口部分を塞ぐ上ライトガイド４５２とを備える。
下ライトガイド４５１は、光源装置４１１が収納される光源収納部４５１Ａと、光源装置４１１を除く他の光学部品が収納される容器状に形成された部品収納部４５１Ｂと、この部品収納部４５１Ｂの外側面に形成され、投写レンズ３が設置される投写レンズ設置部４５１Ｃとを備える。
【００３４】
光源収納部４５１Ａは、下方端面の開口部４５１Ａ１（図６）および部品収納部４５１Ｂ側の図示しない開口部を有する略箱状に形成されている。そして、この光源収納部４５１Ａには、ロアーケース１２の底面部１２Ａに設けられたランプカバー２２（図２）を介して光源装置４１１が収納される。また、この光源収納部４５１Ａの前方側端面には、スリット状の図示しない開口部が形成されている。同様に、光源収納部４５１Ａの後方側端面には、スリット状の開口部４５１Ａ２（図４）が形成されている。そして、これら開口部を介して空気が光源収納部４５１Ａ内外に流通可能となっている。
部品収納部４５１Ｂ内には、図示は省略するが、光学部品４１２〜４１５，４２１〜４２４，４３１〜４３５を上方からスライド式に嵌め込むための複数の溝部が形成されている。また、部品収納部４５１Ｂ内において、図４に示すように、投写レンズ設置部４５１Ｃの内側部分に光学装置４４が設置される。さらに、部品収納部４５１Ｂにおいて、光学装置４４の後段側の側面には、具体的な図示は省略するが、光源装置４１１から射出される光束を透過させる開口部が形成されている。さらにまた、この部品収納部４５１Ｂにおいて、底面部分には、光学装置４４の３つの液晶パネル４４１Ｒ，４４１Ｇ，４４１Ｂに応じた位置に開口部が形成され、光学装置４４の偏光変換素子４１４に応じた位置にも他の開口部が形成されている。
【００３５】
投写レンズ設置部４５１Ｃは、部品収納部４５１Ｂの開口部の周縁に位置し、ライトガイド４５内に設定される照明光軸に対する所定位置に投写レンズ３を設置する。そして、光源装置４１１から射出され、光学装置４４にて形成された光学像が、部品収納部４５１Ｂの開口部を介して投写レンズ３により拡大投写される。
上ライトガイド４５２は、図４に示すように、下ライトガイド４５１の部品収納部４５１Ｂにおける光学装置４４の上方を除く上端開口部分を閉塞する。この上ライトガイド４５２には、表裏を貫通して複数の開口部（例えば、開口部４５２Ａ）が形成され、この開口部を介して下ライトガイド４５１内に収納された光学部品の姿勢調整が実施される。
【００３６】
（冷却ユニット７の構造）
図４と、図６は、冷却ユニット７の構造を説明する図である。プロジェクタ１のアッパーケース１１および制御基板等を取り外し、上方から見たものが図４であり、下方から見たものが図６である。
冷却ユニット７は、プロジェクタ１外部から内部に空気を取り込む吸気機構７０と、プロジェクタ１の内部で温められた空気を外部に排出する排気機構８０とからなり、プロジェクタ１内部の発熱部材を冷却する。
吸気機構７０は、プロジェクタ１内部に外部の冷却空気を導入するシロッコファン７１と、このシロッコファン７１から吐出される冷却空気を所定位置に導く吸気側ダクト７２と、電源ユニット６に冷却空気を流通させる遠心力ファンとしてのシロッコファン７３によって構成されている。
【００３７】
シロッコファン７１は、外装ケース２の底面部１２Ａに形成された吸気口２３（図２）に応じた位置に配置され、冷却空気を吸入する吸入口７１１が吸気口２３に対向し、吸入した冷却空気を吐出する吐出口７１２が光学ユニット４の下方側に向いている。
吸気側ダクト７２は、図６に示すように、光学ユニット４の下方に配置され、シロッコファン７１の吐出口７１２と接続する。そして、図示は省略するが、この吸気側ダクト７２は、冷却空気を導出する４つの導出口を有し、これら導出口は、下ライトガイド４５１の底面に形成された開口部と接続する。
シロッコファン７３は、図４、図６に示すように、電源ユニット６の電源ブロック６１および光源駆動ブロック６２の間、すなわち、電源ユニット６のＬ字形状の角隅部分に配置され、冷却空気を吸入する図示しない吸入口が電源ブロック６１に対向し、吸入した冷却空気を吐出する図示しない吐出口が光源駆動ブロック６２に対向する。
【００３８】
［排気機構８０の構造］
排気機構８０は、図４に示すように、ライトガイド４５の光源収納部４５１Ａの前方側端面から外装ケース２の前面にかけて延びるように配置され、内部ダクト８１、軸流ファン８２、および、排気側ダクト９０を備えている。
内部ダクト８１は、基端側が光源収納部４５１Ａの前方側端面に形成されたスリット状の開口部（図示略）と対向し、先端側が軸流ファン８２に接続され、光源収納部４５１Ａが収納する光源装置４１１（図５）近傍の空気を受け入れるダクトであり、合成樹脂等を用いて略角筒状に形成されている。
前述したように、光源収納部４５１Ａは略箱状とされており、内部ダクト８１の基端側の端部形状は、この光源収納部４５１Ａの前方側端部と略同形状に形成されている。また、導出側の端部形状は、軸流ファン８２の吸気側の端部形状と略同一に形成されており、内部ダクト８１と軸流ファン８２とは、この端部における四隅部分にて互いにねじ等により接続される。
内部ダクト８１と接続される軸流ファン８２は、内部ダクト８１を通じて空気を吸入し、ファンの回転軸方向に揃えて流すファンである。軸流ファン８２は、図示を略したが、駆動モータ、この駆動モータの回転軸に軸支されるプロペラ、およびこれらを収納するケーシングを備えている。
【００３９】
図７は、排気側ダクト９０を前方上方側から見た斜視図である。
ルーバ付ダクトとしての排気側ダクト９０は、基端部分で前記の軸流ファン８２を被覆し（図４）、先端が外装ケース２の開口部としての排気口１７（図１）に接続される筒状体であるダクト９９と、ダクト９９の先端側に設けられたルーバ９１を備えて構成されている。
この排気側ダクト９０には、ルーバ９１の位置に対応して、ルーバ９１を構成する羽根部材の配列方向に突出した膨出部９２，９３が形成され、この膨出部９２，９３は、ルーバ９１の光源装置側手前から形成され、当該部分が拡径領域ＥＸを構成している。
外装ケース２の排気口１７と接続されるダクト９９の排気側の開口端９４は、ダクト９９本体に対して羽根部材の配列方向に偏心しており、偏心方向は膨出部９３側である。この偏心部分は、拡開部９４１とされている。
なお、図示を略したが、この排気側ダクト９０の基端部分は矩形状の開口部を有し、この矩形状の開口部は、軸流ファン８２の排気面と略同様の大きさに形成されている。また、膨出部９２，９３の外面には、それぞれ外側に突出する固定部９５，９６が形成されており、これらの固定部９５，９６にねじを挿入することにより、排気側ダクト９０は外装ケース２の内部に固定される。
【００４０】
排気側ダクト９０の内部には、ルーバ９１が、膨出部９２，９３間に亘って形成されている。図８は、排気側ダクト９０を、ルーバ９１が有する羽根部材の配列方向およびダクト９９の送風方向Ｄを含む面で分断した断面図である。
ルーバ９１は、１枚の断面略く字状の第１羽根部材９１１、および、９枚の断面略Ｓ字状の第２羽根部材９１２を組み合わせて構成されており、隣接する羽根部材９１１、９１２間は、それぞれ略等間隔とされている。
【００４１】
第２羽根部材９１２は、ダクト９９の内面から上下方向に突設され、膨出部９２，９３間に並列されて、送風方向Ｄに沿って延出している。各第２羽根部材９１２は、略同形状に形成されており、肉厚は上下端部側へ微増するが略均一に、全体としては薄肉に形成される（図７）。第２羽根部材９１２は、それぞれ板状の、後方傾斜部９１２Ａ、中央傾斜部９１２Ｂ、および、前方傾斜部９１２Ｃを有しており、該羽根の両面は、空気案内面としての機能を具備している。
後方傾斜部９１２Ａは、軸流ファン８２（図４）に対向し、この軸流ファン８２からの空気を膨出部９３方向に案内するように傾斜している。中央傾斜部９１２Ｂは、この後方傾斜部９１２Ａの前方端部から連続して膨出部９２側に屈曲している。前方傾斜部９１２Ｃは、この中央傾斜部９１２Ｂの前方端部から連続して膨出部９３側に屈曲し、後方傾斜部９１２Ａと略同方向に傾斜している。
後方傾斜部９１２Ａと中央傾斜部９１２Ｂとの交差部分、および、中央傾斜部９１２Ｂと前方傾斜部９１２Ｃとの交差部分は、それぞれ、後方屈曲部９１２Ｄ、および、前方屈曲部９１２Ｅとされる。これら屈曲部としての後方屈曲部９１２Ｄおよび前方屈曲部９１２Ｅは、ともに、屈曲部分に丸みを有し、後方屈曲部９１２Ｄの屈曲角度が、前方屈曲部９１２Ｅの屈曲角度よりも送風方向Ｄに対して大きく設定されている。つまり、後方傾斜部９１２Ａおよび中央傾斜部９１２Ｂの長さ寸法は略同寸とされ、後方傾斜部９１２Ｃの同寸法は、これらよりも小さく設定されている。
また、各第２羽根部材９１２間のピッチＦＰは、送風方向Ｄに対する１枚の第２羽根部材９１２全体の幅寸法ＦＷとほぼ等しい寸法に設定されている。
【００４２】
第１羽根部材９１１は、膨出部９２の内面に対向するように、排気側ダクト９０の内面から上下方向に突設され、送風方向Ｄに沿って延出し、第２羽根部材９１２に並列されている。第１羽根部材９１１の形状は、第２羽根部材９１２の送風方向寸法よりも短くなっていて、開口端９４側の屈曲部は形成されていないが、その他の形状は第２羽根部材９１２と共通する。
具体的には、第１羽根部材９１１には、第２羽根部材９１２の後方傾斜部９１２Ａと同様に後方傾斜部９１１Ａが形成され、第２羽根部材９１２の中央傾斜部９１２Ｂと同様に前方傾斜部９１１Ｂが形成されており、後方傾斜部９１１Ａと前方傾斜部９１１Ｂとの交差部分は、第２羽根部材９１２の後方屈曲部９１２Ｄと同様に、屈曲部９１１Ｃとされている。
これらの傾斜部９１１Ａ，９１１Ｂの該羽根の両面は、空気案内面としての機能を具備し、屈曲部９１１Ｃは、屈曲部として機能する。また、送風方向Ｄに対する第１羽根部材９１１全体の幅寸法は、第２羽根部材９１２の幅寸法ＦＷと略同寸に設定されている。
【００４３】
排気側ダクト９０には、膨出部９２の内面に遮光板９２１が突設されている。遮光板９２１は、軸流ファン８２からの空気を膨出部９３方向に案内するように傾斜して上下に延びている。そして、膨出部９２の前方側の裾部分から内面側に連続するように、縁状部９２２が突出し、上下に延びて、前方傾斜部９１２Ｃと略平行に形成されている。
また、膨出部９３の内面から突設され、遮光板９２１と略直交方向に傾斜して上下に延びる遮光板９３１が、前方と、後方に一対、ルーバ９１端の第２羽根部材９１２と対向して形成されている。
第１羽根部材９１１、第２羽根部材９１２、および遮光板９２１、９３１の各隣接間は、後方側では、軸流ファン８２の吐出側に対向する導入口９１３とされ、前方側では、外装ケース２の排気口１７（図１）に対向する導出口９１４とされている。
【００４４】
排気側ダクト９０は２体構造であり、図９には、この２体が分解された状態の排気側ダクト９０が示されている。排気側ダクト９０は、羽根部材９１１、９１２の配列方向および送風方向Ｄを含む面を中心に分断され、断面略Ｃ字状とされた第１チャンネル部９０Ａおよび第２チャンネル部９０Ｂを組み合わせて構成される。これらの第１チャンネル部９０Ａおよび第２チャンネル部９０Ｂは、黒色の合成樹脂等を用いて１体ずつ射出成形等によって形成されている。
【００４５】
第１チャンネル部９０Ａの第２チャンネル部９０Ｂとの対抗端面には、クランク状に外側が突出する段部９０１Ａが形成されている。この段部９０１Ａは、第１チャンネル部９０Ａの外周端面に限らず、第１チャンネル部９０Ａの端面略全体に、すなわち、羽根部材９１１，９１２の端面等にも、膨出部９３側がクランク状に突出するように形成されている。
また、第１チャンネル部９０Ａの内面には、膨出部９２，９３の後方の裾部分に、上下に延びるリブ９０２Ａが形成されており、このリブ９０２Ａは、排気側ダクト９０の基端部分に被覆・収納される軸流ファン８２の度当たりとして機能するとともに、ダクト９９を補強する。
一方、第１チャンネル部９０Ａの外面には、第２チャンネル部９０Ｂとの対向面に沿って突出する固定片９０３Ａが、固定部９６側に２つ、および、固定部９５に配置される他の２つ、計４つ形成されており、各固定片９０３Ａは、第２チャンネル部９０Ｂ側に突出する突起を有している。
【００４６】
前記の第１チャンネル部９０Ａと対向する第２チャンネル部９０Ｂは、図９に示すように、第１チャンネル部９０Ａと略同形状に形成されている。
第２チャンネル部９０Ｂの第１チャンネル部９０Ａとの対向端面には、クランク状に内側が突出する段部９０１Ｂが、第１チャンネル部９０Ａと同様、端面略全体に形成されている。すなわち、羽根部材９１１，９１２の端面等にも、膨出部９２側がクランク状に突出するように形成されている。また、第２チャンネル部９０Ｂの内面には、図示を略したが、前記のリブ９０２Ａに応じた位置に、このリブ９０２Ａと略同形状に、一対のリブが形成されている。
一方、第２チャンネル部９０Ｂの外面には、第１チャンネル部９０Ａとの対向面に沿って突出する固定片９０３Ｂが、固定部９５側と固定部９６側に、それぞれ２つずつ、計４つ形成されており（固定部９５側の一つは図示略）、各固定片９０３Ｂは、孔を有している。
【００４７】
第１チャンネル部９０Ａに形成された各固定片９０３Ａの突起を、第２チャンネル部９０Ｂに形成された各固定片９０３Ｂの孔に係合させ、段部９０１Ａおよび段部９０１Ｂに形成されているクランク面を合わせると、図７に示すように、第１チャンネル部９０Ａおよび第２チャンネル部９０Ｂは合体される。
【００４８】
（排気側ダクト９０の遮光作用）
前述のように、光源装置４１１を収納する光源収納部４５１Ａの前方側端面には、光源装置４１１の冷却用として、図示しないスリット状の開口が形成されており（図４）、本来の照明光軸から外れてこの開口から漏れ出た光束のうち、この開口に対向する内部ダクト８１、および、軸流ファン８２のプロペラの羽根間を介して、排気側ダクト９０に向かう光束がある。
図８に示すように、排気側ダクト９０に向かう光束は、任意の方向から各導入口９１３より入射するが、傾斜部９１１Ａ、９１１Ｂ、９１２Ａ、９１２Ｂ、および９１２Ｃによって遮られ、導出口９１４からそのまま射出されない。また、前述のように、羽根部材９１１、９１２は、羽根部材９１１、９１２の幅寸法ＦＷと略等しいピッチＦＰで並列されているので、羽根部材９１１、９１２が本例のように薄肉でも、導入口９１３から入射する光束を、ルーバ９１の幅寸法Ｗで隙間なく捉えて遮蔽する。
その結果、ルーバ９１に入射した光束は、導出口９１４からほとんど漏れずに遮蔽され、プロジェクタ１の使用時、外部からルーバ９１近傍を眺めても、明るさをほとんど感じない。
【００４９】
（排気側ダクト９０の整流作用）
プロジェクタ１内部の空気は、軸流ファン８２によって内部ダクト８１を通じて排気側ダクト９０に引き寄せられ（図４）、図８に示すように、引き寄せられた空気は、拡径領域ＥＸにて風速が低下し、導入口９１３を通じてルーバ９１に取り込まれる。この空気は、屈曲部９１２Ｄ、および９１２Ｅが曲率を付されていることで、緩やかに曲折されつつ、送風方向Ｄにほぼ沿う方向の気流Ｃ１とされ、導出口９１４近傍では、前方傾斜部９１２Ｃの傾斜方向に沿って、すなわち、プロジェクタ１の投写画像からの離間方向に整流され、導出口９１４から、外装ケース２の排気口１７を介して放出される。
また、軸流ファン８２から膨出部９２側に流入した空気は、膨出部９２の内部に放出される気流Ｃ２となり、気流Ｃ２は、第１羽根部材９１１と遮光板９２１間に流入し、縁状部９２２で気流Ｃ１と略同方向に風向きを補正されて、導出口９１４から放出される気流Ｃ１の流れ方向に揃えられて放出される。
そして、軸流ファン８２から膨出部９３側に流入した空気は、膨出部９３に沿って速やかに流れる気流Ｃ３となり、気流Ｃ３は、ルーバ９１端の第２羽根部材９１２と遮光板９３１間の導入口９１３から流入し、第２羽根部材９１２の傾斜部９１２Ａ，９１２Ｂ，９１２Ｃで案内され、拡開部９４１によって拡開されている導出口９１４から、気流Ｃ１と略同方向に放出される。
【００５０】
［冷却構造］
前述の冷却ユニット７によるプロジェクタ１内部の冷却構造を説明する。
図１０，１１は、プロジェクタ１内部に形成される冷却流路を示す図である。
プロジェクタ１内部には、前述の冷却ユニット７により、図１０，１１に示すように、液晶パネル４４１Ｒ，４４１Ｇ，４４１Ｂおよび電源ユニット６を主に冷却するパネル・電源冷却流路Ａと、偏光変換素子４１４を主に冷却する偏光変換素子冷却流路Ｂと、光源装置４１１を主に冷却する光源冷却流路Ｃとが形成される。
パネル・電源冷却流路Ａは、冷却空気がプロジェクタ１内を以下に示すように流通することで形成される。
すなわち、外部の冷却空気は、図１０に示すように、シロッコファン７１により外装ケース２の底面部１２Ａに形成された吸気口２３（図２）から吸入され、吸気側ダクト７２に吐出される。そして、冷却空気は、吸気側ダクト７２に導かれてライトガイド４５の底面部分に形成された開口部（図示略）からライトガイド４５内部へと導入される。
【００５１】
ライトガイド４５内部に導入された冷却空気は、液晶パネル４４１Ｒ，４４１Ｇ，４４１Ｂ、入射側偏光板４４２、視野角補正板４４３、および射出側偏光板４４４を冷却しながら、光学装置４４の下方から上方に向けて流れ、図１１に示すように、ライトガイド４５の外部へと流出する。そして、ライトガイド４５の外部に流出した空気は、シロッコファン７３により引き寄せられ、光学ユニット４の上方で投写レンズ３側に配置される制御基板（図示省略）を冷却しつつ該制御基板に沿って流れ、電源ブロック６１の内部に導入される。
電源ブロック６１内部に導入された空気は、内部の回路基板６１１に実装された回路素子を冷却しつつ筒状部材６１２に沿って流れ、シロッコファン７３に吸入され、光源駆動ブロック６２の内部側へと吐出される。この光源駆動ブロック６２内部に吐出された空気は、排気機構８０の軸流ファン８２により引き寄せられ、回路基板（図示略）に実装された回路素子を冷却しつつ筒状部材６２２に沿って流れ、排気機構８０に吸入される。そして、図１０に示すように、排気機構８０のルーバ９１により投写方向から離間する方向に整流され、外装ケース２の排気口１７から排出される。
【００５２】
偏光変換素子冷却流路Ｂは、冷却空気がプロジェクタ１内を以下に示すように流通することで形成される。
すなわち、外部の冷却空気は、図１０に示すように、シロッコファン７１により外装ケース２の底面部１２Ａに形成された吸気口２３（図２）から吸入され、吸気側ダクト７２に吐出される。そして、冷却空気は、吸気側ダクト７２に導かれてライトガイド４５の底面部分に形成された開口部（図示省略）からライトガイド４５内部へと導入される。そして、ライトガイド４５内部に導入された冷却空気は、偏光変換素子４１４を冷却し、図１１に示すように、上ライトガイド４５２に形成された開口部４５２Ａからライトガイド４５外部に流出する。
【００５３】
光源冷却流路Ｃは、冷却空気がプロジェクタ１内を以下に示すように流通することで形成される。
すなわち、パネル・電源冷却流路Ａを流れる冷却空気の一部および偏光変換素子冷却流路Ｂを流れる冷却空気が、図１１に示すように、排気機構８０により引き寄せられ、電源ブロック６１とライトガイド４５の光源収納部４５１Ａとの間に入り込み、光源収納部４５１Ａの後方側端面に形成された開口部（図４）から該光源収納部４５１Ａ内に導入される。そして、光源収納部４５１Ａ内に導入された空気は、光源装置４１１を冷却し、光源収納部４５１Ａの前方側端面に形成された図示しない開口部を介して排気機構８０により吸入される。そしてまた、排気機構８０により吸入された空気は、排気側ダクト９０により投写方向から離間する方向に整流され、外装ケース２の排気口１７から排出される。
【００５４】
［実施形態の効果］
このような第１実施形態によれば、次のような効果がある。
（１）羽根部材９１１に屈曲部９１１Ｃが形成されることにより、この屈曲部９１１Ｃから延びる２つの傾斜部９１１Ａ、９１１Ｂが従来の直線的な空気案内面に比較して、遮光可能な面積が増加し、かつ、これらが交差することで、光源装置４１１から射出した光束及び光源装置４１１側で反射した光束を遮蔽することができるため、漏れ光の発生を確実に防止することができる。
また、ダクト９９内を流れる空気は、これらの屈曲部９１１Ｃ、９１２Ｄ、９１２Ｅで曲折されながら流れるため、送風効率が損なわれることもない。
【００５５】
（２）断面略Ｓ字状である第２羽根部材９１２を採用することにより、２つの屈曲部９１２Ｄ、９１２Ｅから延びる３つの傾斜部９１２Ａ、９１２Ｂ、９１２Ｃにより遮光することができるため、漏れ光の発生を一層確実に防止することができる。また、２つの屈曲部９１２Ｄ、９１２Ｅを備えることにより、各屈曲部９１２Ｄ、９１２Ｅの屈曲の度合いを小さくすることができるため、各屈曲部９１２Ｄ、９１２Ｅで曲折される空気の流量損失を抑えて速やかに空気を流すことができる。
【００５６】
（３）膨出部９２、９３をルーバ９１の光源装置４１１側手前から形成することにより、拡径領域ＥＸでルーバ９１に流れ込む空気の風速を低下することができるため、風切り音の発生を防止して騒音低減を図ることができるうえ、送風効率を落とすことがない。また、膨出部９２、９３がルーバ９１の位置に形成されることにより、この膨出部９２、９３で高温の空気と低温の空気を混合させることができるため、開口部９４から排出される空気の温度を均一化させることができる。
なお、排気側ダクト９０は別体の２体構造とされているので、屈曲部９１１Ｃ，９１２Ｄ，９１２Ｅ、および、膨出部９２，９３等の本例での形状に関わらず、排気側ダクト９０を別体として射出成形等により容易に成形できる。
【００５７】
（４）開口端９４に拡開部９４１が形成されることにより、傾斜部９１２Ａ、９１２Ｂ、９１２Ｃ等で案内された空気が、開口端９４の端部で遮られること無く、ルーバ９１による整流方向に従って放出されるので、送風効率が良好である。
【００５８】
（５）各羽根部材９１１、９１２は、光束を隙間なく遮蔽できる必要最低限な態様で、すなわち、前述したように、羽根部材９１１、９１２の幅寸法ＦＷと略等しいピッチＦＰで並列されているので、気流を遮らずに整流でき、十分な流量が確保できる。
【００５９】
（６）プロジェクタ１は、前述のような排気側ダクト９０を備えることにより、プロジェクタ１筐体に対し投写レンズ３と揃えて設けられている排気口１７を介した光漏れがほとんどないので、投写画像を快適に鑑賞できる。
さらに、排気側ダクト９０は、高い遮光性を実現しながら、送風性能が良好であることから、プロジェクタ１の備える冷却構造の冷却効率が損なわれることがない。
【００６０】
次に、本発明の第２実施形態を説明する。なお、以下の説明では、既に説明した実施形態と同様の構成については、同一符号を付して、説明を省略もしくは簡略化する。
第１実施形態では、１枚の第１羽根部材９１１、および９枚の第２羽根部材９１２がルーバ９１に並列されていた（図８）。これに対し、第２実施形態では、排気側ダクト９０の断面図である図１２に示すように、第１羽根部材９１１および第２羽根部材９１２は、５枚ずつ組み合わされ、交互に配列されている点が、第１実施形態とは相違する。
【００６１】
第１羽根部材９１１は、既に説明したように、第２羽根部材９１２の後方傾斜部９１２Ａ、および中央傾斜部９１２Ｂに相当する、後方傾斜部９１１Ａ、および前方傾斜部９１１Ｂを有しており、これらの傾斜部９１１Ａ，９１１Ｂの交差部分は屈曲部９１１Ｃとされている。第１羽根部材９１１および第２羽根部材９１２は、それぞれの屈曲部９１１Ｃおよび後方屈曲部９１２Ｄが揃えられて並列されている。
５枚の第１羽根部材９１１のうち、膨出部９２に対向する１枚は、前述のように、膨出部９２との近接を避けて前方傾斜部９１１Ｂの延出寸法が第２羽根部材９１２の中央傾斜部９１２Ｂよりも小さいが、その他の４枚では、同寸法は第２羽根部材９１２の中央傾斜部９１２Ｂと略等しく設定されている。すなわち、送風方向Ｄに対する後方傾斜部９１１Ａおよび前方傾斜部９１１Ｂの送風方向Ｄに対する幅寸法は、第２羽根部材９１２の後方傾斜部９１２Ａおよび中央傾斜部９１２Ｂと略同寸に設定されている。
第１羽根部材９１１の開口端９４側には何も設けられずに、該部分では第２羽根部材９１２同士が対向しており、このように開放されている開口端側領域Ｓでは、ルーバ９１の羽根部材９１１，９１２の密度が疎とされている。
【００６２】
（排気側ダクト９０の遮光作用）
図１２に示すように、プロジェクタ１内部から照明光軸を外れて排気側ダクト９０内部に向かう光束は、任意の方向から各導入口９１３より入射するが、既に説明したように、羽根部材９１１、９１２は、羽根部材９１１、９１２の幅寸法ＦＷと略等しいピッチＦＰで並列されているから（図８参照）、導入口９１３から入射する光束を、ルーバ９１の幅寸法Ｗで隙間なく捉えて遮蔽する。
具体的には、送風方向Ｄに沿って、第２羽根部材９１２の導入口９１３側の端部至近で第１羽根部材９１１との間に入射する光束Ｌ１には、第１羽根部材９１１の後方傾斜部９１１Ａが対向するため、光束Ｌ１は、導出口９１４からそのまま射出されることなく遮光される。
そして、第１羽根部材９１１の導入口９１３側の端部至近から、隣接する第２羽根部材９１２の後方傾斜部９１２Ａと外れる方向に入射する光束Ｌ２には、第１羽根部材９１１の前方傾斜部９１１Ｂが対向することによって、光束Ｌ２は遮蔽される。
【００６３】
（排気側ダクト９０の整流作用）
図１２に示すように、排気側ダクト９０内部に取り込まれた空気は、第１羽根部材９１１と第２羽根部材９１２の間の導入口９１３から流入し、屈曲部９１１Ｃ、９１２Ｄ間で曲折された後、隣接する導入口９１３から流入した空気と開口端側領域Ｓで合流して気流Ｃ４となる。この気流Ｃ４は、第２羽根部材９１２の前方傾斜部９１２Ｃで案内されながら、導出口９１４から外装ケース２の排気口１７を介して速やかに放出される。
【００６４】
このような第２実施形態によれば、前述の（１）〜（６）で述べた効果に加えて、次のような効果がある。
（７）第１羽根部材９１１と第２羽根部材９１２とを交互に配列することにより、第１羽根部材９１１の前方側端部から開口端９４側にかけて開放させた開口端側領域Ｓで速やかに空気を流すことができるので送風性に優れ、気流の抵抗が低減されるから、静粛性に優れる。
そして、ルーバ９１を、第１羽根部材９１１と第２羽根部材９１２とを略同数ずつ混成して構成することで、ルーバ９１の羽根の略全数を第２羽根部材９１２とした場合に比較して、ルーバ９１の通風性能および遮光性能は同等、かつ、ルーバ９１全体にわたってこれらの各性能が均一に発揮されたままで、軽量化を図ることができる。
【００６５】
（８）第１羽根部材９１１の傾斜部９１１Ａ、９１１Ｂと、第２羽根部材９１２の傾斜部９１２Ａ，９１２Ｂが並列されるため、気流の滞留等を生じることなく、送風効率が損なわれることがない。
【００６６】
なお、本発明は前述の各実施形態に限定されるものではなく、本発明の目的を達成できる範囲での変形、改良等は本発明に含まれるものである。
ルーバ９１に配列される羽根部材９１１、９１２等の形状、位置、数、ピッチ、屈曲度合、傾斜方向、および配列方向等は、前記の各実施形態に限定されない。羽根部材９１１、９１２の肉厚を略均一とせずに、例えば、さらに送風容易となるように流線状に肉厚を変化させて形成してもよく、３つ以上の屈曲部を有する羽根部材でルーバ９１を構成することも考えられる。また、羽根部材９１１、９１２をルーバ９１に並列的に配列しなくても、本発明の目的は達成できる。
【００６７】
また、前記各実施形態での羽根部材９１１、９１２の配列方向に限らず、該配列方向の直交方向に羽根部材９１１、９１２を並列してルーバ９１を構成してもよく、ルーバ９１は、ダクト９９の開口側ではなく、ダクト９０の奥側に設けてもよい。
そして、羽根部材９１１，９１２の組み合わせ態様についても、前記各実施形態に限定されず、羽根部材９１１、９１２等の配列は、送風性能や遮光性能を考慮の上、適宜設計変更できる。排気側ダクト９０の形状等も、前記の実施形態に限定されず、膨出部９２，９３や、拡開部９４１、遮光板９２１，９３１等は形成しなくてもよい。
排気側ダクト９０の製造は、合成樹脂等を材料とする射出成形に限られない。例えば、型を２体等とすれば、排気側ダクト９０を一体構造として一体成形可能である。
【００６８】
前記実施形態では、排気側ダクト９０は、プロジェクタ１の冷却構造の排出機構を構成していたが、吸気用ファンに近接配置され、吸気機構７０を構成するものでも構わない。また、排気側ダクト９０に空気を供給するファンは、軸流ファン８２に限らず、シロッコファン７１等を用いてもよい。
また、軸流ファン８２は、排気側ダクト９０の基端部分で被覆されていたが、軸流ファン８２が露出し、排気側ダクト９０の基端部分と接続されていても構わない。
前記各実施形態で、排気機構８０は、内部ダクト８１、軸流ファン８２、および排気側ダクト９０から構成されており、排気側ダクト９０が外装ケース２の排気口１７に近接配置され、排気口１７にはルーバ１７Ａが設けられていたが、これらの構成に限られず、本発明にかかる排気側ダクト９０は、排気用、吸気用とに関わらず自在に配置され、特にプロジェクタ１等、光源装置を筐体内部に配する光学機器等に用いることができる。
【００６９】
前記各実施形態では、３つの光変調装置を用いた光学装置を採用したが、これに限らず、例えば、１つの光変調装置を用いたいわゆる単板式の光学装置としてもよい。また、光変調装置として液晶パネルを採用したが、これに限らず、マイクロミラーを用いたデバイス等、液晶以外の光変調装置を採用してもよい。さらに、透過型の光変調装置ではなく、反射型の光変調装置を用いてもよい。
【００７０】
前記各実施形態では、第２羽根部材９１２の屈曲部９１２Ｄ、９１２Ｅの屈曲の度合いは同じに設定されていたが、本発明はこれに限られない。すなわち、断面略Ｓ字状の第２羽根部材において、光源装置側の屈曲部の屈曲の度合いを大きくし、開口部側の屈曲部の屈曲の度合いを小さくしてもよい。
光源装置側の屈曲部の屈曲度合いを大きくすることにより、光源装置側の空気案内面の長さ寸法を大きく確保できるため、一層確実に漏れ光の発生を防止することができる。一方、開口部側の屈曲部の屈曲度合いを小さくすることにより、傾斜部の長さ寸法を小さくすることができるため、排気効率が損なわれることを防止することができる。
その他、本発明の実施の際の具体的な構造及び形状等は、本発明の目的を達成できる範囲で他の構造等としてもよい。
【図面の簡単な説明】
【図１】本発明の第１実施形態におけるプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるプロジェクタの内部構造を示す図。
【図５】前記実施形態における光学ユニットの光学系を模式的に示す図。
【図６】前記実施形態における冷却ユニットの構造を説明する図。
【図７】前記実施形態における排気側ダクトを上方前面側から見た斜視図。
【図８】前記実施形態における排気側ダクトの断面図。
【図９】前記実施形態における排気側ダクトを上方前面側から見た分解斜視図。
【図１０】前記実施形態におけるプロジェクタ内部に形成される冷却流路を示す図。
【図１１】前記実施形態におけるプロジェクタ内部に形成される冷却流路を示す図。
【図１２】本発明の第２実施形態における排気側ダクトの断面図。
【符号の説明】
１…プロジェクタ、２…外装ケース（筐体）、１７…排気口（開口部）、９０…排気側ダクト（ルーバ対ダクト）、９１…ルーバ、９２，９３…膨出部、９４…開口端、９９…ダクト、４１１…光源装置、４５１Ａ…光源収納部（光源装置を収納）、９１１…第１羽根部材、９１１Ａ…後方傾斜部（空気案内面を有する）、９１１Ｂ…前方傾斜部（空気案内面を有する）、９１１Ｃ…屈曲部、９１２…第２羽根部材、９１２Ａ…後方傾斜部（空気案内面を有する）、９１２Ｂ…中央傾斜部（空気案内面を有する）、９１２Ｃ…前方傾斜部（空気案内面を有する）、９１２Ｄ…後方屈曲部（屈曲部）、９１２Ｅ…前方屈曲部（屈曲部）、Ｄ…送風方向、Ｓ…開口端側領域（羽根部材の密度が疎となる部分）。
【図１】
2005025035.tif 000003
【図２】
2005025035.tif 000004
【図３】
2005025035.tif 000005
【図４】
2005025035.tif 000006
【図５】
2005025035.tif 000007
【図６】
2005025035.tif 000008
【図７】
2005025035.tif 000009
【図８】
2005025035.tif 000010
【図９】
2005025035.tif 000011
【図１０】
2005025035.tif 000012
【図１１】
2005025035.tif 000013
【図１２】
2005025035.tif 000014